(57)【特許請求の範囲】
【請求項１】
開口縁部が略長円状をなす筒状の台座に、便器穴が形成された便座を設けてなる可搬便器において、
前記台座は、長手方向の両端側が中央側より高く、
前記便座は、外縁部の一部が前記台座の開口縁部と繋がっており、
前記便器穴の縁部には、該便器穴の下側に配置されるべき袋を係止するための係止片が設けられており、
前記台座の側面を折って畳むことができるように構成されていることを特徴とする可搬便器。
【請求項２】
前記台座は、平面視で、対向する二長辺と、該二長辺の両端部夫々に連なり、鋭角をなす二短辺とを有する六角形状をなし、
前記短辺に対応する部分の上縁が傾斜していることを特徴とする請求項１に記載の可搬便器。
【請求項３】
前記台座の一方側部分と、前記便座の対応する部分とが繋がっており、前記台座の他方側部分を分離可能に結合してあることを特徴とする請求項１又は２に記載の可搬便器。
【請求項４】
前記台座の側面には、前記便器穴の下側に配置されるべき袋の開口縁側部分を掛止することが可能な掛止片が設けられていることを特徴とする請求項１乃至３のいずれかに記載の可搬便器。
【請求項５】
紙からなることを特徴とする請求項１乃至４のいずれかに記載の可搬便器。
【発明の詳細な説明】
【技術分野】
【０００１】
本発明は、室内等に置いて、又は外出時に主として幼児が使用する可搬便器に関する。
【背景技術】
【０００２】
可搬便器として、便器穴を有する便座の外側周縁に脚部が一体で繋がるとともに、便座の前側に金隠しが一体で繋がり、さらに、前記便器穴の下側に配置される便受皿が前記脚部と一体で繋がるように合成樹脂材料で成形されたもの、便器穴を有する便座の外側周縁に脚部が一体で繋がるとともに、便座の前部に金隠しが一体で繋がるように合成樹脂材料で成形され、さらに、前記便口の下側位置に対して出し入れが可能な便受皿が別個に成形されたもの等がある。
【０００３】
ところが、従来のものは可搬便器の全体が一体に成形された構成となっているか、又は、便座及び脚部が一体に成形された構成となっているため、工場から出荷する際の嵩、及び家庭等で格納する際の嵩が比較的高くなるという問題があり、また、外出時に携帯するのは難しいという問題があった。さらに、特別の便受皿が必要であるため、この便受皿がコスト高の要因となっており、改善策が要望されていた。
【０００４】
この問題を解決する可搬便器として、特許文献１の可搬便器が挙げられる。
この可搬便器は、便器穴を有する便座と、該便座の前記便器穴に対する左右の側部にその上端部が離脱可能に取付けられた脚体とを備えている。この可搬便器においては、荷造り、収納時の嵩を低くすることができ、携帯することも可能であり、便受皿としてビニール袋を使用することができるので、コストの低減化が図られている。
【先行技術文献】
【特許文献】
【０００５】
【特許文献１】特許第４５１１０１７号公報
【発明の概要】
【発明が解決しようとする課題】
【０００６】
しかし、特許文献１に記載の可搬便器は、分解した場合、従来の可搬便器と比較して相当量嵩を低くすることができるが、それでも４、５点の部品からなるため、ある程度の収納スペースを要し、また、多数の嵌合部を有しており、組み立てが煩雑であるという問題があった。そして、合成樹脂製であるので、多少重量があり、さらなる軽量化が望まれていた。また、合成樹脂製であり、幼児が腰掛けた場合に冷たく感じられるので、幼児が腰掛けやすい、暖かみのある材料で作製することも望まれていた。
【０００７】
本発明は斯かる事情に鑑みてなされたものであり、折り畳んだ状態で収納及び携帯等をすることができ、組み立てが容易であり、簡単な構成で強度、安定感及び安心感が得られ、製造コストも低い可搬便器を提供することを目的とする。
【課題を解決するための手段】
【０００８】
第１発明に係る可搬便器は、開口縁部が略長円状をなす筒状の台座に、便器穴が形成された便座を設けてなる可搬便器において、前記台座は、長手方向の両端側が中央側より高く、前記便座は、外縁部の一部が前記台座の開口縁部と繋がっており、前記便器穴の縁部には、該便器穴の下側に配置されるべき袋を係止するための係止片が設けられており、前記台座の側面を折って畳むことができるように構成されていることを特徴とする。
【０００９】
本発明においては、平たく折り畳むことにより、嵩を低くした状態で荷造りしたり、収納したり、携帯したりすることができる。また、折り畳んであるものを立体状に展開することにより、容易に便器を組み立てることができる。
そして、長手方向の両端側が中央側より高いので、端部が金隠し状をなし、幼児が腰掛けたときに、該端部を掴むことができ、良好な安定感及び安心感が得られる。
さらに、使用する場合は、便器穴の下側位置にビニール袋等の袋を配置し、該袋の開口縁側部分を前記便座に回し掛け、袋の側部を係止片に係止することができ、袋の開口縁側部分が便座と台座との間から抜け出ることを確実に防止することができるとともに、袋の開放状態を良好に維持することができ、便受け皿が不要になる。
【００１０】
第２発明に係る可搬便器は、第１発明において、前記台座は、平面視で、対向する二長辺と、該二長辺の両端部夫々に連なり、鋭角をなす二短辺とを有する六角形状をなし、前記短辺に対応する部分の上縁が傾斜していることを特徴とする。
【００１１】
本発明の可搬便器によれば、簡単な形で良好な強度が得られる。また、縁部が曲線ではなく、直線からなるので、折り畳んだ状態から、直線状の縁部を山折りにして立体をなすように組み立てればよく、容易に作製することができる。
【００１２】
第３発明に係る可搬便器は、第１又は第２発明において、前記台座の一方側部分と、前記便座の対応する部分とが繋がっており、前記台座の他方側部分を分離可能に結合してあることを特徴とする。
【００１３】
本発明においては、可搬便器を一体化された展開図で表すことができ、シートに該展開図を作図して裁断し、分離している部分を糊付けして、便座と台座との境界部分を折り、台座の側面を台座の軸に平行な折り目で折ることで、容易に可搬便器を作製することができる。可搬便器が一体化されているので、製造コストも低減化することができる。
【００１４】
第４発明に係る可搬便器は、第１乃至第３発明のいずれかにおいて、前記台座の側面には、前記便器穴の下側に配置されるべき袋の開口縁側部分を掛止することが可能な掛止片が設けられていることを特徴とする。
【００１５】
本発明においては、便器穴の下側位置にビニール袋等の提手付の袋を配置し、該袋の開口縁側部分を前記便座に回し掛けたとき、前記開口縁側部分に設けられた提手を掛止片に掛止することができ、袋の開口縁側部分が便座と台座との間から抜け出ることを確実に防止することができる。
【００１８】
第５発明に係る可搬便器は、第１乃至第４発明のいずれかにおいて、紙からなることを特徴とする。
【００１９】
本発明の可搬便器によれば、軽量であり、製造コストが低い。また、紙は暖かみのある材料であるので、幼児がいやがらずに腰掛けることができる。そして、燃えるゴミとして廃棄することができる。
【発明の効果】
【００２０】
本発明によれば、折り畳んだ状態で、嵩低く、収納及び携帯等をすることができ、組み立てが容易であり、簡単な構成で良好な安定感及び安心感が得られる。また、製造コストも低減化することができる。
【図面の簡単な説明】
【００２１】
【図１】本発明の実施の形態に係る可搬便器を示す斜視図である。
【図２】本発明の実施の形態に係る可搬便器を示す分解斜視図である。
【図３】本発明の実施の形態に係る可搬便器を折り畳んだ状態を示す平面図である。
【図４】本発明の実施の形態に係る可搬便器を折り畳んだ状態を示す裏面図である。
【図５】本発明の実施の形態に係る可搬便器を折り畳んだ状態を示す側面図である。
【図６】本発明の実施の形態に係る可搬便器の便器穴の下側に袋の底部を配置し、袋の側部を便器穴から引き出して便座及び台座に回し掛けたときの状態を示す斜視図である。
【発明を実施するための形態】
【００２２】
以下、本発明をその実施の形態を示す図面に基づいて具体的に説明する。
図１は本発明の実施の形態に係る可搬便器１を示す斜視図、図２は可搬便器１を示す分解斜視図、図３は可搬便器１を折り畳んだ状態を示す平面図、図４は可搬便器１を折り畳んだ状態を示す裏面図、図５は可搬便器１を折り畳んだ状態を示す側面図である。
【００２３】
本実施の形態に係る可搬便器１は厚紙からなり、筒状をなし、平面視で、対向する二長辺と、該二長辺の両端部夫々に連なって鋭角をなす二短辺とを有する六角形状をなす台座２に、便器穴３１が形成された便座３を、台座２の開口縁部に便座３の外縁部が繋がるように設けてなる。可搬便器１は、長手方向の両端部を台座２の軸に平行な折り目で折って、畳むように構成されている。
【００２４】
台座２は、長手方向の両端側が中央側より高くなっている。すなわち、台座２の長手方向の一方側部分を側方から見た場合、矩形状をなす中央部２１と、該中央部２１に連設され、内側から外側に向かうに従って漸次的に高さが高くなる側部２２，２２とからなる（図３参照）。台座２の一方側部分の側部２２と、これに隣り合う他方側部分の側部２２とは繋がっている。
台座２の長手方向の両端部の下部には、略ハート型状に切り欠き２３，２３が設けられており、該切り欠き２３，２３の略ハート型の中央の垂下部分である掛止片２４，２４に、便器穴３１の下側に、後述するビニール袋等の提手付の袋の底部を配置し、袋の側部を便器穴３１から引き出して便座３及び台座２に回し掛けたときの前記提手が掛止されるように構成されている。
【００２５】
便座３は、平面視で、外縁部が台座２の六角形に対応する形状をなし、内側に、長円形状をなす前記便器穴３１が設けられている。便座３は、長手方向の中央側は同一幅を有する状態で長手方向に延び、端部の略三角形状の面は台座２の側部２２の上縁部に沿って設けられているので、傾斜しており、金隠しを形成している。すなわち、便座３は一方側部分を側方から見た場合、中央部は台座２の中央部２１の上縁部に沿うように同一幅で水平方向に延びており、便器穴３１が形成されていない先端部は、折り目が台座２の側部２２の下辺と平行になるように延びている（図３参照）。
そして、便座穴３１の縁部の中央部には、舌片状をなし、前記提手付の袋の側部を係止するための係止片３２，３２が突設されている。
図４の裏面図に示すように、可搬便器１の裏側の中央部２１と便座３との境界部分の両端部には、穴３４，３４が設けられており、該境界部分を折り込むときに、力を逃すようにし、しわ等の変形が生じるのが抑制されている。
【００２６】
図２に示すように、可搬便器１は、台座２の長手方向の一方側部分の開口縁部と、便座３の対応する長手方向の一方側部分の外縁部とが繋がり、台座２の他方側部分の側面が周方向に分離し、すなわち、台座２の中央部２１と側部２２とが境界部分で分離している。可搬便器１は、この一体化された状態の展開図で表すことができる。側部２２の中央部２１から分離した部分には矩形状をなす糊代２５が突設され、側部２２，２２の開口縁部には、舌片状の糊代２６，２６が突設されている。便座３の、中央部２１の長辺と合わせる部分には、矩形状をなす糊代３３が突設されている。
厚紙にこの展開図を作図して裁断し、糊代２５、２６、２６、３３に糊を付けて、分離している部分を貼り合わせ、台座２の両端部、中央部２１と側部２２との境界部分、及び便座３の台座２との境界部分を山折りにし、便座３の端部と水平部分との境界部分を谷折りにし、組み立てることにより容易に可搬便器１が作製され得る。山折り部分は曲線ではなく、直線からなるので、容易に確実に可搬便器１を立体状に形成することができる。ユーザが裁断からの組み立てを行うことも可能である。
【００２７】
図６は、可搬便器１の便器穴３１の下側に袋４の底部を配置し、袋４の側部を便器穴３１から引き出して便座３及び台座２に回し掛けたときの状態を示す斜視図である。
図６に示すように、袋４の提手の端部４１を台座２の掛止片２４に掛止している。また、袋４の側部は便座３の係止片３２の裏側に回し込んだ状態で係止片３２に係止することができ、該係止片３２で摩擦が生じることもあって、袋４は可搬便器１から抜け出るのが確実に防止されている。
【００２８】
この状態で、幼児は可搬便器１に腰掛けて用を足すことになる。
本実施の形態の可搬便器１は、長手方向の両端側が中央側より高いので、端部が金隠し状をなし、幼児が腰掛けたときに前後にずれたり、倒れたりするのが防止され、安定感及び強度が良好である。紙は暖かみのある材料であるので、幼児がいやがらずに腰掛けることができる。
また、幼児が前記端部を掴むことができ、良好な安心感が付与される。
そして、便受け皿の代わりに袋４を用いるので、可搬便器１の製造コストを低減化することができ、便の始末が簡単である。
【００２９】
本実施の形態の可搬便器１は、平たく折り畳むことができ、また、軽量であり、嵩を非常に低くした状態で荷造りしたり、収納したり、携帯したりすることができる。そして、折り畳んであるものを立体状に展開することにより、容易に便器を組み立てることができる。
立体状に展開した場合においてもコンパクトであるので、車中でも使用することができる。そして、便受け皿の代わりに使い捨ての袋４を用いるので、本実施の形態の可搬便器１は洗う必要がなく、いずれの場所でも使用することができる。
従って、災害時で、水が使用できない場合等においても、使用することができ、トイレに行くのがこわくなった幼児にも安心して使用され得る。
【００３０】
なお、本実施の形態においては、可搬便器１が厚紙からなる場合につき説明しているがこれに限定されるものではなく、可搬便器１は段ボール製であってもよく、合成樹脂製であってもよい。可搬便器１が紙からなる場合、軽量であり、組み立てが容易である。可搬便器１が合成樹脂からなる場合、強度がより強くなり、水に濡れた場合にも拭き取って何度も使用することができる。
【００３１】
また、本実施の形態においては、可搬便器１が一体化されている場合につき説明しているがこれに限定されるものではなく、例えば２部品からなり、この２部品を一体化した上で立体状に折って作製することにしてもよい。
そして、本実施の形態においては、可搬便器１が平面視で六角形状をなす場合につき説明しているがこれに限定されるものではなく、八角形状等の多角形状、又は長円状であってもよい。但し、長円状より多角形状に構成した方が直線状の折り目を折ることになるので折りやすい。そして、多角形状になす場合、六角形の方が、可搬便器の幅が狭くなるのでコンパクトにすることができ、好ましい。
さらに、本実施の形態においては、可搬便器１が、長手方向の両端部を台座２の軸に平行な折り目で折って、畳むように構成されている場合につき説明しているが、これに限定されず、可搬便器１の短手方向に折り畳むものであってもよい。
【符号の説明】
【００３２】
１  可搬便器
２  台座
２１  中央部
２２  側部
２３  切り欠き
２４  掛止片
２５、２６、３３  糊代
３  便座
３１  便器穴
３２  係止片
３４  穴
４  袋
４１  端部
【図１】
0005518012.tif 000002
【図２】
0005518012.tif 000003
【図３】
0005518012.tif 000004
【図４】
0005518012.tif 000005
【図５】
0005518012.tif 000006
【図６】
0005518012.tif 000007